(57)【要約】【課題】オンラインで家族カードの追加申込をより迅速かつ簡便に完結させるための情報処理システム及び方法を提供する。【解決手段】第１のユーザ装置及び第２のユーザ装置との間でデータ送受信を行う情報処理システムは、本会員から家族カードの追加申込依頼を受信すると、第１の専用ＵＲＬを生成する。本会員が第１のユーザ装置において第１の専用ＵＲＬ経由で仮パスワードを設定すると、情報処理システムが第２の専用ＵＲＬを生成する。本会員の家族は第２のユーザ装置において第２の専用ＵＲＬ経由で情報処理システムにアクセスし、仮パスワードで認証を受けた後、必要事項を送信する。仮パスワードは本会員と家族の間で有線または無線媒体のいずれかにより伝達される。【選択図】図３
2010055196.tif 000002
【特許請求の範囲】
【請求項１】
第１のユーザ装置及び第２のユーザ装置との間でデータ送受信を行う情報処理システムであって、
第１のユーザ装置は、第２のユーザの氏名、生年月日、続柄、第１のユーザのメールアドレス及び第２のユーザのメールアドレスを含む第１のデータを前記情報処理システムに送信し、仮パスワードを前記情報処理システム及び前記第２のユーザ装置に送信し、かつ前記第１のユーザのメールアドレス宛てに送信された電子メールを受信し、
第２のユーザ装置は、前記仮パスワードを前記情報処理システムに送信して、認証肯定を示す返信データを受けた後、第２のユーザの氏名及び正式パスワードを含む第２のデータを前記情報処理システムに送信し、かつ前記第２のユーザのメールアドレス宛てに送信された電子メールを受信し、
前記情報処理システムは、
制御部と、
第１のユーザの登録済みメールアドレス、前記第１のデータ及び前記第２のデータを格納する会員情報テーブルと、
前記制御部が読み出した前記第１のユーザの登録済みメールアドレスと、受信した前記第１のユーザのメールアドレスとが一致するか否かを判定する第１の判定部と、
前記第１のユーザのメールアドレス及び前記第２のユーザのメールアドレスが一致するか否かを判定する第２の判定部と、
前記第１の判定部により一致すると判定され、かつ前記第２の判定部により不一致と判定される場合に、第１の専用ＵＲＬを生成して第１のユーザのメールアドレス宛てに前記第１の専用ＵＲＬを含む電子メールを送信し、前記第１の専用ＵＲＬ経由で仮パスワードを受信した後に第２の専用ＵＲＬを生成して第２のユーザのメールアドレス宛てに前記第２の専用ＵＲＬを含む電子メールを送信する専用ＵＲＬ生成部と、
前記第２の専用ＵＲＬ経由で前記仮パスワードを受信したか否かを判定し、前記第２のユーザ装置に認証の可否を示すデータを送信する認証部と
を含むことを特徴とする情報処理システム。
【請求項２】
第１のユーザ装置及び第２のユーザ装置との間でデータ送受信を行う情報処理システムにおける情報処理方法であって、
前記方法は、
第２のユーザの氏名、生年月日、続柄、第１のユーザのメールアドレス及び第２のユーザのメールアドレスを含む第１のデータを前記第１のユーザ装置が前記情報処理システムに送信するステップと、
前記情報処理システム内に保存されている第１のユーザの登録済みメールアドレスを前記情報処理システムの制御装置が読み出して、受信した前記第１のユーザのメールアドレスと一致するか否かを前記情報処理システムが判定する第１のステップと、
前記第１のユーザのメールアドレス及び前記第２のユーザのメールアドレスが一致するか否かを前記情報処理システムが判定する第２のステップと、
前記第１の判定するステップにより一致すると判定され、かつ前記第２の判定するステップにより不一致と判定される場合に、第１の専用ＵＲＬを生成して第１のユーザのメールアドレス宛てに前記第１の専用ＵＲＬを含む電子メールを前記情報処理システムが送信するステップと、
前記第１の専用ＵＲＬ経由で仮パスワードを受信した後に第２の専用ＵＲＬを生成して第２のユーザのメールアドレス宛てに前記第２の専用ＵＲＬを含む電子メールを前記情報処理システムが送信するステップと、
前記第１のユーザ装置が前記仮パスワードを前記第２のユーザ装置に送信するステップと、
前記第２のユーザ装置が前記仮パスワードを前記情報処理システムに送信して、認証肯定を示す返信データを受けた後、第２のユーザの氏名及び正式パスワードを含む第２のデータを前記第２のユーザ装置が前記情報処理システムに送信するステップと、
を含むことを特徴とする方法。
【請求項３】
コンピュータに、請求項２に記載の方法を実行させるためのプログラム。
【請求項４】
コンピュータに、請求項２に記載の方法を実行させるためのプログラムを記録したコンピュータ読み取り可能な記録媒体。
【発明の詳細な説明】
【技術分野】
【０００１】
本発明は、クレジットカード申し込みのための情報処理システム及び情報処理方法に関する。さらに具体的に説明すると、既存のクレジット会員からの情報提供を受けることにより、当該会員が紹介した人のクレジットカードの新規申し込みをより迅速かつ容易に受け付けるための情報処理システム及び情報処理方法に関する。
【背景技術】
【０００２】
一般的に、クレジットカードの会員になろうとする場合、クレジットカード会社に申込書を提出し、審査を経る必要がある。この審査は、申込者の職業、年収及び信用情報機関からもたらされる申込者の信用情報をもとに、申込者ごとに行われる。
【０００３】
一方、クレジットカードには「家族カード」という種類のカードがある。家族カードは、本会員の家族など近親者のためのカードであるが、この場合の審査は、通常の審査と比較すると、本会員のクレジットカードの関連カードという位置付けのため、審査は相対的に簡便に行われている。
【０００４】
従来は、家族カードの申し込みであっても本会員の家族が自ら申込書を提出しなければならず、クレジットカードを申し込む側にとっての手間は、通常のクレジットカードを申し込む際と変わらなかった。このため、オンラインで家族カードの追加申し込みを完結させるためのシステム及び方法が求められている。
【０００５】
【特許文献１】特開２００３−１８６８３７号公報
【発明の開示】
【発明が解決しようとする課題】
【０００６】
しかしながら、本会員自身のＩＤを使ってログインしているウェブサービスを介して家族が内容を確認したり、入力したりすることは適切ではない。
【０００７】
また、逆に、本会員が家族に代わり申込を代行すると、暗証番号が漏洩したり、家族が申し込み前にカード規約等を確認する機会を失ったりするなどの不都合が生じる。
【０００８】
本発明はこのような課題に鑑みてなされたものであり、その目的とするところはオンラインで家族カードの追加申込をより迅速かつ簡便に完結させるための情報処理システム及び方法を提供することである。
【課題を解決するための手段】
【０００９】
本発明は、このような目的を達成するために、請求項１に記載の発明は、第１のユーザ装置及び第２のユーザ装置との間でデータ送受信を行う情報処理システムであって、第１のユーザ装置は、第２のユーザの氏名、生年月日、続柄、第１のユーザのメールアドレス及び第２のユーザのメールアドレスを含む第１のデータを前記情報処理システムに送信し、仮パスワードを前記情報処理システム及び前記第２のユーザ装置に送信し、かつ前記第１のユーザのメールアドレス宛てに送信された電子メールを受信し、第２のユーザ装置は、前記仮パスワードを前記情報処理システムに送信して、認証肯定を示す返信データを受けた後、第２のユーザの氏名及び正式パスワードを含む第２のデータを前記情報処理システムに送信し、かつ前記第２のユーザのメールアドレス宛てに送信された電子メールを受信し、前記情報処理システムは、制御部と、第１のユーザの登録済みメールアドレス、前記第１のデータ及び前記第２のデータを格納する会員情報テーブルと、前記制御部が読み出した前記第１のユーザの登録済みメールアドレスと、受信した前記第１のユーザのメールアドレスとが一致するか否かを判定する第１の判定部と、前記第１のユーザのメールアドレス及び前記第２のユーザのメールアドレスが一致するか否かを判定する第２の判定部と、前記第１の判定部により一致すると判定され、かつ前記第２の判定部により不一致と判定される場合に、第１の専用ＵＲＬを生成して第１のユーザのメールアドレス宛てに前記第１の専用ＵＲＬを含む電子メールを送信し、前記第１の専用ＵＲＬ経由で仮パスワードを受信した後に第２の専用ＵＲＬを生成して第２のユーザのメールアドレス宛てに前記第２の専用ＵＲＬを含む電子メールを送信する専用ＵＲＬ生成部と、前記第２の専用ＵＲＬ経由で前記仮パスワードを受信したか否かを判定し、前記第２のユーザ装置に認証の可否を示すデータを送信する認証部と、を含むことを特徴とする。
【００１０】
この構成によれば、オンラインで家族カードの追加申込をより迅速かつ簡便に完結させるための情報処理システムを提供することが可能となる。
【００１１】
また、請求項２に記載の発明は、第１のユーザ装置及び第２のユーザ装置との間でデータ送受信を行う情報処理システムにおける情報処理方法であって、前記方法は、第２のユーザの氏名、生年月日、続柄、第１のユーザのメールアドレス及び第２のユーザのメールアドレスを含む第１のデータを前記第１のユーザ装置が前記情報処理システムに送信するステップと、前記情報処理システム内に保存されている第１のユーザの登録済みメールアドレスを前記情報処理システムの制御装置が読み出して、受信した前記第１のユーザのメールアドレスと一致するか否かを前記情報処理システムが判定する第１のステップと、
前記第１のユーザのメールアドレス及び前記第２のユーザのメールアドレスが一致するか否かを前記情報処理システムが判定する第２のステップと、前記第１の判定するステップにより一致すると判定され、かつ前記第２の判定するステップにより不一致と判定される場合に、第１の専用ＵＲＬを生成して第１のユーザのメールアドレス宛てに前記第１の専用ＵＲＬを含む電子メールを前記情報処理システムが送信するステップと、前記第１の専用ＵＲＬ経由で仮パスワードを受信した後に第２の専用ＵＲＬを生成して第２のユーザのメールアドレス宛てに前記第２の専用ＵＲＬを含む電子メールを前記情報処理システムが送信するステップと、前記第１のユーザ装置が前記仮パスワードを前記第２のユーザ装置に送信するステップと、前記第２のユーザ装置が前記仮パスワードを前記情報処理システムに送信して、認証肯定を示す返信データを受けた後、第２のユーザの氏名及び正式パスワードを含む第２のデータを前記第２のユーザ装置が前記情報処理システムに送信するステップと、を含むことを特徴とする。
【００１２】
この方法によれば、オンラインで家族カードの追加申込をより迅速かつ簡便に完結させるための情報処理方法を提供することが可能となる。
【００１３】
請求項３に記載の発明は、コンピュータに、請求項２に記載の方法を実行させるためのプログラムであることを特徴とする。
【００１４】
請求項４に記載の発明は、請求項２に記載の方法を実行させるためのプログラムを記録したコンピュータ読み取り可能な記録媒体であることを特徴とする。
【発明の効果】
【００１５】
以上説明したように、本発明の情報処理システム及び情報処理方法によれば、本会員の家族がより迅速かつ容易にオンラインで家族カードの追加申込を完結させることができ、かつ、本会員と家族会員間でも暗証番号の漏洩を防止できる等の一定のセキュリティレベルを確保することが可能となる。
【発明を実施するための最良の形態】
【００１６】
以下、図面を参照しながら本発明の実施形態について詳細に説明する。
【００１７】
図１は、本発明に係るシステム１００の概略構成と各構成要素間で実行される処理の概要を説明する図である。システム１００は、ユーザ装置Ａ（１０１）と、ユーザ装置Ｂ（１０２）と、情報処理システム１０３とを含む。ユーザ装置Ａ（１０１）、ユーザ装置Ｂ（１０２）及び情報処理システム１０３は、有線及び／または無線経由で相互にネットワーク接続されており、電子メールやウェブアプリケーションなどを利用したデータ伝送が可能である。
【００１８】
ユーザ装置Ａ（１０１）及びユーザ装置Ｂ（１０２）は、別個独立の装置であって、電子メールの送受信機能を有しさえすれば、一般的なパーソナルコンピュータや携帯電話とすることができる。本明細書では、説明の便宜上、携帯電話を例に説明するが、これは本発明の権利の及ぶ範囲が携帯電話に限られることを意図するものではない。
【００１９】
以下、図１を参照しながら、本発明に係る情報処理システムの処理の大まかな流れを説明する。
【００２０】
まず、クレジットカードの既存会員である本会員は、ユーザ装置Ａ（１０１）を利用して会員となっているクレジットカード会社が提供するウェブベースのサービス（例えば、会員向けのホームページ）にログインし、家族カードの加入申込を行う。その際、本会員は、家族の氏名、生年月日、続柄、本会員の携帯メールアドレス及び家族の携帯メールアドレスなどの必要項目をユーザ装置Ａ（１０１）から送信する。
【００２１】
次に、情報処理システム１０３は、受信した本会員の携帯メールアドレスやログインした際の本会員の情報をもとに、第１の専用ＵＲＬを生成して、本会員の携帯メールアドレス宛てに第１の専用ＵＲＬを含む電子メールを送信する。第１の専用ＵＲＬは、本会員を特定する引数がセットされるため、第三者が第１の専用ＵＲＬを使用して情報処理システム１０３にアクセスしても、なりすましを行うことが困難である。
【００２２】
第１の専用ＵＲＬを含む電子メールを受信した本会員は、第１の専用ＵＲＬに示されたウェブサービスにアクセスして、再度ログインし、仮パスワードを設定する。
【００２３】
次に、設定した仮パスワードをユーザ装置Ａ（１０１）からユーザ装置Ｂ（１０２）に伝達する。かかる伝達は、有線または無線で行うことが可能であり、特に伝達方式に限定はない。
【００２４】
仮パスワードが設定された後、情報処理システム１０３は、家族会員を特定する引数をセットした第２の専用ＵＲＬを生成し、第２の専用ＵＲＬを含む電子メールを家族の携帯メールアドレス宛てに送信する。
【００２５】
第２の専用ＵＲＬを含む電子メールを受信した家族は、第２の専用ＵＲＬにアクセスし、ユーザ装置Ａ（１０１）から伝達された仮パスワードを入力して認証を経た後、ローマ字形式での氏名や暗証番号などの識別番号を入力して、家族カードの申込を完了させる。
【００２６】
家族カードの申込完了後は、通常の家族会員向けのクレジットカード発行手続にのっとってデータを処理していくため、本明細書では詳細には説明しない。
【００２７】
図２は、本発明に係る情報処理システム１０３の構成を示すブロック図である。情報処理システム１０３は、制御部２０１、主記憶部２０２、補助記憶部２０３、入出力インターフェース（Ｉ／Ｆ）２０４、専用ＵＲＬ生成部２０５、第１の判定部２０６、第２の判定部２０７、認証部２０８及び会員情報テーブル２０９を含み、これらの構成要素２０２〜２０９は相互に接続されており、制御部２０１によって統括して制御される。
【００２８】
制御部２０１は、各構成要素２０２〜２０９の制御やデータの計算処理及び加工処理を行い、また、補助記憶部２０３に格納されている各種プログラムを読み出して実行する。主記憶部２０２は、メインメモリとも呼ばれ、情報処理システム１０３内でデータやプログラムが処理及び実行される際に使用される。補助記憶部２０３は、ハードディスクなどに代表される記憶装置であり、データやプログラムを長期的に保存する際に使用される。制御部２０１がプログラムを実行してデータの計算処理及び加工処理を行う場合には必要なデータだけ主記憶部２０２に読み出して使い、長期的な保存には補助記憶部２０３が使用される。
【００２９】
入出力インターフェース（Ｉ／Ｆ）２０４は、ユーザ装置Ａ（１０１）及びユーザ装置Ｂ（１０２）との間でデータを送受信する際に使用する入出力インターフェースであり、ユーザ装置Ａ（１０１）及びユーザ装置Ｂ（１０２）とネットワークで接続されている。
【００３０】
専用ＵＲＬ生成部２０５は、会員情報テーブル２０９に格納されているデータ（例えば、会員の識別ＩＤ）及び入出力インターフェース（Ｉ／Ｆ）２０４を介して受信したデータを使用して、会員固有の専用ＵＲＬを生成する。専用ＵＲＬは、ユーザ装置Ａ（１０１）及びユーザ装置Ｂ（１０２）を利用する各ユーザが利用可能なウェブサービスを提供するためのＵＲＬであり、ユーザごとに生成される。
【００３１】
会員情報テーブル２０９は、会員ごとの情報、例えば、会員の識別ＩＤ、氏名（カナ氏名やローマ字氏名、等）、住所、過去の取引履歴情報、連絡用のメールアドレス、ユーザ装置Ａ（１０１）から受信した仮パスワードなどを格納するテーブルである。当該格納されている情報は、制御部２０１によって読み書きされる。
【００３２】
第１の判定部２０６は、会員情報テーブル２０９から読み出された連絡用のメールアドレスと、ユーザ装置Ａ（１０１）から受信した本会員の携帯メールアドレスを比較し、一致するか否かを判定する。不一致の場合には、本会員以外の第三者が本会員になりすまして手続を行ったものと判断し、エラーメッセージを生成し、ユーザ装置Ａ（１０１）に送信する。
【００３３】
第２の判定部２０７は、本会員の携帯メールアドレスと、家族の携帯メールアドレスとを比較し、一致するか否かを判定する。一致する場合には、エラーメッセージを生成し、ユーザ装置Ａ（１０１）に送信する。
【００３４】
認証部２０８は、専用ＵＲＬ経由で仮パスワードを受信した場合に、受信した仮パスワードと会員情報テーブル２０９に格納されている仮パスワードが一致するか否かを判定し、その認証結果（一致または不一致）をユーザ装置Ｂ（１０２）に送信する。
【００３５】
なお、本明細書では、ユーザ装置Ａ（１０１）は本会員の携帯メールアドレス宛ての電子メールを受信し、ユーザ装置Ｂ（１０２）は家族の携帯メールアドレス宛ての電子メールを受信する前提で説明を行う。
【００３６】
図３は、本発明に係る情報処理方法の例示的なフロー図である。
【００３７】
ステップＳ３０１では、情報処理システム１０３は、第１のユーザ装置であるユーザ装置Ａ（１０１）から入出力Ｉ／Ｆ２０４を介して少なくとも家族の氏名（漢字、カナ、ローマ字）、生年月日、続柄、本会員の携帯メールアドレス及び家族の携帯メールアドレスなどの必要事項を受信する。本会員の携帯メールアドレス及び家族の携帯メールアドレスは、第１のユーザ装置において入力されたデータである。受信したデータは、会員情報テーブル２０９に格納される。
【００３８】
ステップＳ３０２では、第１の判定部２０６が、会員情報テーブル２０９から読み出された既登録の本会員のメールアドレスと、ステップＳ３０１で受信した本会員の携帯メールアドレスとが一致するか否かを判定する。不一致の場合は、本会員以外の第三者が本会員になりすまして申し込み処理を行ったものとみなしてステップＳ３２０に進み、エラーメッセージを生成し、第１のユーザ装置に送信して処理を終了する。一方、一致すると判定された場合は、本会員からの申し込みであると判定されるため、次のステップＳ３０３の処理に進む。
【００３９】
ステップＳ３０３では、第２の判定部２０７が、ステップＳ３０１で受信した本会員の携帯メールアドレスと家族の携帯メールアドレスとが一致するか否かを判定する。一致する場合は、本会員が家族に成り代わって申し込み処理を行った場合に該当し、暗証番号漏洩が危惧されるケースに該当するため、ステップＳ３２０に進み、エラーメッセージを生成し、第１のユーザ装置に送信して処理を終了する。一方、不一致の場合は、本会員が家族カードの対象者となる家族のメールアドレスを送信してきたものと考えられるので、次のステップＳ３０４の処理に進む。
【００４０】
ステップＳ３０４では、専用ＵＲＬ生成部２０５は、本会員のみアクセス可能な第１の専用ＵＲＬを生成して、第１のユーザ装置に送信する。かかる専用ＵＲＬを生成する処理は周知の技術であるので、本明細書では詳細に説明しない。
【００４１】
ステップＳ３０５では、制御部２０１が、第１のユーザ装置によってアクセスされた第１の専用ＵＲＬにて入力された仮パスワードを入出力Ｉ／Ｆ２０４を介して受信したか否かを判定する。この判定処理は、上記第１の専用ＵＲＬを第１のユーザ装置に送信した後、第１の専用ＵＲＬからデータを受信したタイミングで行っても良いし、または所定の時間間隔ごとに行っても良い。入出力Ｉ／Ｆ２０４を介して受信した仮パスワードは、制御部２０１によって会員情報テーブル２０９に本会員のデータと関連付けられて格納される。
【００４２】
ステップＳ３０６では、本会員の家族のみアクセス可能な第２の専用ＵＲＬを生成して、ユーザ装置Ｂ（１０２）などの第２のユーザ装置に送信する。かかる専用ＵＲＬを生成する処理は周知の技術であるので、本明細書では詳細に説明しない。
【００４３】
ステップＳ３０７では、第２のユーザ装置から第２の専用ＵＲＬ経由で入力された家族会員となる人の氏名（例えば、ローマ字）及び正規の暗証番号を受信する。
【００４４】
最後に、ステップＳ３０８では、制御部２０１は、受信した氏名（例えば、ローマ字）を本会員から受信した氏名（例えば、ローマ字）と比較し、一致していれば、会員情報テーブル２０９に本会員の家族会員データとして格納する。不一致であれば、エラーメッセージを生成して、第２のユーザ装置に対して送信する。
【００４５】
また、本発明は、上記実施形態の機能を実現するソフトウェアプログラムとして供給されることも可能である。かかる場合には、ソフトウェアプログラム自体は、コンピュータ上で実行されることにより、上述した実施形態の機能を実現する。
【００４６】
さらに、そのプログラム自体、及びそのプログラムを格納したコンピュータ読み取り可能な記憶媒体は本発明を構成する。かかるプログラムを記憶する記憶媒体としては、例えば、フロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【図面の簡単な説明】
【００４７】
【図１】本発明の一実施形態に係るシステムの概略構成と各構成要素間で実行される処理の概要を説明する図である。
【図２】本発明の一実施形態に係る情報処理システムの構成を示すブロック図である。
【図３】本発明の一実施形態に係る情報処理方法の例示的なフローチャートである。
【符号の説明】
【００４８】
１０１  ユーザ装置Ａ
１０２  ユーザ装置Ｂ
１０３  情報処理システム
２０１  制御部
２０２  主記憶部
２０３  補助記憶部
２０４  入出力インターフェース
２０５  専用ＵＲＬ生成部
２０６  第１の判定部
２０７  第２の判定部
２０８  認証部
２０９  会員情報テーブル
【図１】
2010055196.tif 000003
【図２】
2010055196.tif 000004
【図３】
2010055196.tif 000005